(57)【特許請求の範囲】
【請求項１】
下方に向けて脚柱を設けた耐火樹脂パネルの左右端に嵌合用の凹部または凸部を形成し、床面もしくはコンクリート製等の基礎には予め脚柱挿入孔を形成しておき、耐火樹脂パネルは脚柱をこの脚柱挿入孔に差し入れることで建込み、この建込みの際にこれら耐火樹脂パネル相互を端部の嵌合で連接するとともに、耐火樹脂パネル相互は嵌合部分において、樹脂系接着材で接着し、また、単位部材を連続させ、この単位部材は耐火樹脂パネル相互の嵌合部分を跨がるように取付けるフレームを、周囲に取付けたことを特徴とする給油所の防火塀。
【発明の詳細な説明】
【０００１】
【発明の属する技術分野】
本発明は、自動車等にガソリン等の燃料を供給する給油所の防火塀に関するものである。
【０００２】
【従来の技術】
給油所、いわゆるガソリンステーションでは、給油機が設置され、燃料として引火性の高い危険物であるガソリン等を扱うことから、火災の拡大および給油所内で発生したベーパーを隣地に流出するのを防止するために、図５に示すように周囲に防火塀１を設けることが義務付けられている。
【０００３】
従来、このような防火塀１はコンクリートブロックの積み上げによりブロック塀として形成される場合が多く、施工において目地の硬化に多大な時間がかかるとともに、鉄筋等の構造部材を配置しないと地震時等に倒壊のおそれもある。
【０００４】
そこで、出願人は図５、図６に示すような複数の塀ユニット２を相互に連結した組立式防火塀を発明し、特願平8-101191号（特開平9-287322号公報）として出願した。
【０００５】
前記塀ユニット２は金属製のフレーム３と、このフレーム３の片面または両面に取り付けた不燃板であるサイディグボード４とから構成され、さらに、フレーム３は下部に柱脚部８ａを備えた両端部の内向きコ字状断面の端部柱８と、中間のコ字状断面の中間柱９と、これら柱の頂部および下部を連結するコ字状の上部梁10，下部梁11とから構成される。
【０００６】
さらに不燃板であるサイディグボード４はフレーム３にビス５でビス止めされ、相隣るサイディグボード４間は不燃材コーキングでコーキングされる。
【０００７】
そして、設置位置に打設したコンクリート基礎６の柱脚部挿入孔７に柱脚部８ａを挿入して塀ユニット２を立設し、端部柱８同士はボルト・ナットで連結したのち、柱脚部８ａをモルタルで固定する。
【０００８】
【発明が解決しようとする課題】
しかし、この特願平8-101191号（特開平9-287322号公報）の組立式防火塀は、塀ユニット２は金属製のフレーム３とサイディグボード４とから構成され、サイディグボード４はボルト・ナット等で取付けるものであるため、地震等の振動を受けた場合や熱膨張等により取付部からヒビが入ったり、経年変化でビス５等が脱落したりして見栄えが悪くなり、また、修復作業が必要なこともある。
【０００９】
さらに、端部柱８同士はボルト・ナットで連結し、また、相隣るサイディグボード４間は不燃材コーキングでコーキングが必要など、組立に道具が必要となり、また、作業にも手数がかかる。
【００１０】
なお、同じく出願人が出願した特開昭58-164868 号公報ではガラス繊維強化コンクリート製の版板を組立てた防火塀が示されているが、版板が重く運搬および組立に多くの手間がかかるとともに、防火塀本体相互の接続は切欠部を設けてのプレートとボルト・ナットの結合であり、これもまた組立に道具が必要となり、作業にも手数がかかる。
【００１１】
しかも、切欠部に配設する小片としてのプレートによる結合では版板相互の連結強度も弱く、全体の一体性にも難がある。
【００１２】
本発明の目的は前記従来例の不都合を解消し、軽量化を図り、また、取付道具を必要としないので、組立を簡単かつ迅速に行うことができ、施工のコスト削減と工期の短縮を実現できる給油所の防火塀を提供することにある。
【００１３】
【課題を解決するための手段】
本発明は前記目的を達成するため、下方に向けて脚柱を設けた耐火樹脂パネルの左右端に嵌合用の凹部または凸部を形成し、床面もしくはコンクリート製等の基礎には予め脚柱挿入孔を形成しておき、耐火樹脂パネルは脚柱をこの脚柱挿入孔に差し入れることで建込み、この建込みの際に、これら耐火樹脂パネル相互を端部の嵌合で連接するとともに、耐火樹脂パネル相互は嵌合部分において、樹脂系接着材で接着し、また、単位部材を連続させ、この単位部材は耐火樹脂パネル相互の嵌合部分を跨がるように取付けるフレームを、周囲に取付けたことを要旨とするものである。
【００１４】
請求項１の本発明によれば、給油所の防火塀は軽量な耐火樹脂パネルを組み合わせて形成され、この耐火樹脂パネル相互の組み合わせは嵌合用の凹部または凸部の嵌合で連接するので道具が不要であり、取付け作業に簡略化および、取付部の腐食防止も図れ、また、不燃材コーキングでコーキングを行わずとも目地の耐火性も確保でき、全体としての耐火性能が向上する。
【００１５】
さらに、周囲にフレームを取付けたことで、連接する耐火樹脂パネル相互はこのフレームで囲われて防火塀としての所定の強度を確保でき、耐震性の向上にもなる。
【００１６】
前記作用に加えて、耐火樹脂パネル相互は嵌合部分において、樹脂系接着材で接着することで嵌合用の凹部または凸部の嵌合のみの接合よりも強度のある一体的な連結が得られ、しかも、ボルト・ナットでの結合のような道具の必要もない。
【００１７】
また、フレームは単位部材を連続させ、この単位部材は耐火樹脂パネル相互の嵌合部分を跨がるように取付けるので、耐火樹脂パネル相互の結合強度がフレームの単位部材でより効率的に補強され、一層の強度増強が得られる。
【００１８】
さらに、耐火樹脂パネルは下方に向けて脚柱を設けることで、支柱を介してパネルを設置する必要もなく、構造的にも簡単であるし、また、塀としての組立も容易なものとなる。
【００１９】
【発明の実施の形態】
以下、図面について本発明の実施形態を詳細に説明する。図１は本発明の給油所の防火塀の１実施形態を示す斜視図で、図中12は耐火樹脂パネルである。
【００２０】
耐火樹脂パネル12はポリエステルやポリカーボネイトなどの耐熱性樹脂を材質とし、ブロー成形もしくは射出成形で成形したパネルで、左右端部辺に長さ方向に連続して嵌合用の凹部13または凸部14を形成した。
【００２１】
図２、図３に耐火樹脂パネル12の詳細を示すと、前記嵌合用の凹部13または凸部14は左右端部辺それぞれに形成し、凹部13は開口が幅狭の袋溝的なもの、凸部14はこの袋溝的な凹部13に嵌まるものとして先端が膨出する突条とした。なお、このような蟻溝的な嵌合関係以外の凹部と凸部の組み合わせでもよい。
【００２２】
さらに、耐火樹脂パネル12は左右端部辺の両方に嵌合用の凹部13を設けたパネルと、左右端部辺の両方に嵌合用の凸部14を設けたパネルを２種類準備するようにしてもよい。
【００２３】
また、耐火樹脂パネル12は下方に向けて脚柱15を突設した。この脚柱15は耐火樹脂パネル12の本体部と一体に成形されたもの、もしくは別部材として取付けられたもののいずれを問わない。
【００２４】
図中16は端部の嵌合で連接する耐火樹脂パネル12の周囲に取付けるフレームで、フレーム16は前記耐火樹脂パネル12の上端縁が入り込む凹部17ａを形成したコ字形断面の単位部材17を連続させてなる。この単位部材17は前記耐火樹脂パネル12と同じく耐火樹脂製のものとしてもよい。
【００２５】
床面もしくはコンクリート製等の基礎には予め脚柱挿入孔18を形成しておき、耐火樹脂パネル12は脚柱15をこの脚柱挿入孔18に差し入れることで建込み、この建込みの際に、嵌合用の凹部13と凸部14を嵌めて連接する。
【００２６】
さらに、図示は省略するが、かかる嵌合を行う際に、樹脂系接着材を刷毛等で塗布し、耐火樹脂パネル12の相互の嵌合部分をこの樹脂系接着材で接着する。
【００２７】
また、耐火樹脂パネル12相互の嵌合部分を跨がるようにフレーム16の単位部材17を取付け、このフレーム16で連接する耐火樹脂パネル12の周囲を囲む。
【００２８】
図４はコーナー部を示すもので、前記フレーム16の単位部材17もこのコーナー部用に鉤型のものとした。
【００２９】
前記フレーム16の単位部材17はその凹部17ａに耐火樹脂パネル12の上端縁が入り込む際に、樹脂系接着材で接着するようにしてもよい。
【００３０】
【発明の効果】
以上述べたように本発明の給油所の防火塀は、使用するパネルの軽量化を図ることができ、また、取付道具を必要としないので、組立を簡単かつ迅速に行うことができ、施工のコスト削減と工期の短縮を実現できるものである。
【図面の簡単な説明】
【図１】  本発明の給油所の防火塀の１実施形態を示す斜視図である。
【図２】  本発明の給油所の防火塀で使用する耐火樹脂パネルの正面図である。
【図３】  本発明の給油所の防火塀で使用する耐火樹脂パネルの平面図である。
【図４】  本発明の給油所の防火塀で使用する耐火樹脂パネルのコーナー部の結合を示す横断平面図である。
【図５】  従来例を示す斜視図である。
【図６】  従来例での塀ユニットの斜視図である。
【符号の説明】
１…防火塀                        ２…塀ユニット
３…フレーム                      ４…サイディグボード
５…ビス                          ６…コンクリート基礎
７…柱脚部挿入孔                  ８…端部柱
８ａ…柱脚部                      ９…中間柱
10…上部梁                        11…下部梁
12…耐火樹脂パネル                13…凹部
14…凸部                          15…脚柱
16…フレーム                      17…単位部材
17ａ…凹部                        18…脚柱挿入孔
【図１】
0003757714.tif 000002
【図２】
0003757714.tif 000003
【図３】
0003757714.tif 000004
【図４】
0003757714.tif 000005
【図５】
0003757714.tif 000006
【図６】
0003757714.tif 000007